(57)【要約】  本発明の実施形態は、加入者カード保持部と、メインボードと、第２ボードと、ハウジングを含む無線端末装置であって、メインボードと、第２ボードと、加入者カード保持部とは、ハウジング内に位置し、加入者カード保持部は、第２ボードに配置され、第２ボードは、ハウジングに固定されているため、加入者カード保持部は、メインボードから空間的に離れており、かつ第２ボードは、低熱伝導率でメインボードに接続されている、無線端末装置を提供する。本発明の実施形態において開示される無線端末装置によると、加入者カードおよび加入者カード保持部がメインボードから空間的に隔離されるように、加入者カードおよび加入者カード保持部は、ハウジングに固定される。これは、メインボード上の発熱部品によって生じる熱が加入者カードに伝わることを効果的に防ぎ、それにより加入者カードの変形が防止できる。
2014529388.tif 000002
【特許請求の範囲】
【請求項１】
加入者カード保持部と、メインボードと、第２ボードと、ハウジングとを備える無線端末装置であって、前記メインボード、前記第２ボード、および前記加入者カード保持部は、前記ハウジング内に配置され、前記加入者カード保持部は、前記第２ボード上に配置され、前記加入者カード保持部が前記メインボードから空間的に離れるように、前記第２ボードは前記ハウジングに固定され、および前記第２ボードは、熱伝導率の低い方法で前記メインボードに接続される、無線端末装置。
【請求項２】
具体的には以下のように、前記第２ボードが前記ハウジングに固定される：第１バッフルが前記ハウジング内に配置され、かつ前記第１バッフルが前記第２ボードを固定する、請求項１に記載の無線端末装置。
【請求項３】
具体的には以下のように、前記第２ボードが前記ハウジングに固定される：前記第２ボードが前記ハウジングに固定されるように前記第２ボードが前記ハウジングに接着される、請求項１に記載の無線端末装置。
【請求項４】
具体的には以下のように、前記第２ボードが前記ハウジングに固定される：ネジ、熱かしめ、またはスナップを用いて前記第２ボードが前記ハウジングに固定される、請求項１に記載の無線端末装置。
【請求項５】
具体的には以下のように、前記第２ボードが前記ハウジングに固定される：前記加入者カード保持部が前記ハウジングに接着され、かつ前記第２ボードが前記加入者カード保持部を介して前記ハウジングに固定される、請求項１に記載の無線端末装置。
【請求項６】
具体的には以下のように、前記第２ボードが熱伝導率の低い方法で前記メインボードに接続される：前記第２ボードがＦＰＣ、ケーブル、突出しピン、またはスナップドームを介して前記メインボードに接続される、請求項１〜５のいずれか一項に記載の無線端末装置。
【請求項７】
前記無線端末装置がＵＳＢモデム、携帯電話、タブレット、または無線ルーターである、請求項１〜６のいずれか一項に記載の無線端末装置。
【請求項８】
加入者カード保持部と、メインボードと、ハウジングとを備える無線端末装置であって、前記メインボードおよび前記加入者カード保持部は、前記ハウジング内に配置され、前記加入者カード保持部が前記メインボードから空間的に離れるように、前記加入者カード保持部が前記ハウジングに固定され、かつ前記加入者カード保持部は、熱伝導率の低い方法で前記メインボードに接続される、無線端末装置。
【請求項９】
具体的には以下のように、前記加入者カード保持部は、前記ハウジングに固定される：
前記加入者カード保持部が前記ハウジングに接着される、または
第２バッフルが前記ハウジング内に配置され、かつ前記第２バッフルが前記加入者カード保持部を固定する、
請求項８に記載の無線端末装置。
【請求項１０】
具体的には以下のように、前記加入者カード保持部が熱伝導率の低い方法で前記メインボードに接続される：前記加入者カード保持部がＦＰＣ、ケーブル、突出しピン、または、スナップドームを介して前記メインボードに接続される、請求項８または９に記載の無線端末装置。
【請求項１１】
前記無線端末装置が、ＵＳＢモデム、携帯電話、タブレット、または無線ルーターである、請求項８〜１０のいずれか一項に記載の無線端末装置。
【発明の詳細な説明】
【技術分野】
【０００１】
本発明は、無線通信技術分野、特に無線端末装置に関する。
【背景技術】
【０００２】
携帯電話および無線ネットワークカード（ＵＳＢモデムなど）などの無線端末装置は、より優れた携帯性の方向に発展しており、これには、端子装置の大きさがより小さく、かつよりコンパクトな内部構造を有することが必要である。既存の無線端末装置は、一般的に多数の機能を統合し、かつ高いコンピューター機能を特徴としており、これにより無線端末装置の電力消費は増加する。コンパクトな構造の無線端末装置の動作温度をどのように効果的に制御するか、特に加入者識別モジュール（Subscriber Identity Module,SIM）カードおよび汎用加入者識別モジュール（Universal Subscriber Identity Module,USIM）カードなどの加入者カードの放熱の問題は、技術的な課題となっている。加入者カードは、加入者カード保持部に取り付けられ、かつ加入者カード保持部は、処理チップおよび電波周波数回路などの他の発熱部品と共にメイン基板に取り付けられている。したがって、動作中に他の発熱部品によって発生した熱は、メインボードおよび加入者カード保持部を介して加入者カードに容易に伝わる。ＳＩＭカードを例にとると、ＳＩＭカードの温度が８５℃を越える場合、そのプラスチック部分が軟化する場合がある。結果として、ＳＩＭカードは、変形し、メインボードと十分に接触できないことにより通常ＳＩＭカードは動作しなくなる。
【発明の概要】
【発明が解決しようとする課題】
【０００３】
本発明の実施形態は、動作中に、熱により無線端末装置が容易に変形するという課題を解決する無線端末装置を提供する。
【課題を解決するための手段】
【０００４】
１つの態様において、本発明の実施形態は、加入者カード保持部と、メインボードと、第２ボードと、ハウジングを含む無線端末装置であって、メインボードと、第２ボードと、加入者カード保持部とは、ハウジング内に位置し、加入者カード保持部は、第２ボードに配置され、第２ボードは、ハウジングに固定されているため、加入者カード保持部は、メインボードから空間的に離れており、かつ第２ボードは、低熱伝導率でメインボードに接続されている、無線端末装置を提供する。
【０００５】
第１の考えられる実施方法において、第２ボードは、特に以下のようにハウジングに固定される：第１バッフルがハウジング内に配置され、かつ第１バッフルが第２ボードを固定する。
【０００６】
第２の考えられる実施方法において、第２ボードは、特に以下のようにハウジングに固定される：第２ボードがハウジングに固定されるように第２ボードがハウジングに接着される。
【０００７】
第３の考えられる実施方法において、第２ボードは、特に以下のようにハウジングに固定される：第２ボードは、ネジ、熱かしめ、またはスナップによってハウジングに固定される。
【０００８】
第４の考えられる実施方法において、第２ボードは、特に以下のようにハウジングに固定される：加入者カード保持部が、ハウジングに接着され、かつ第２ボードが加入者カード保持部を介してハウジングに固定される。
【０００９】
第１，第２，第３，および第４の考えられる実施方法によると、第２ボードは、特に以下のように熱伝導率の低い方法でメインボードに接続される：第２ボードは、ＦＰＣ、ケーブル、突出しピン、またはスナップドームを介してメインボードに接続される。
【００１０】
本発明の実施形態に開示される無線端末装置において、加入者カード保持部は、加入者カード保持部がメインボードから空間的に隔離されるように第２ボードに配置され、かつ第２ボードは、ハウジングに固定される。これは、加入者カードが加入者カード保持部に挿入され、無線端末装置が通常動作する場合に、メインボード上の発熱部品によって生じる熱が加入者カードに伝わることを効果的に防ぐことができ、それにより加入者カードの変形を防止する。
【００１１】
他の態様において、本発明の実施形態は、加入者カード保持部と、メインボードと、ハウジングとを含む無線端末装置であって、メインボードおよび加入者カード保持部がハウジング内に配置され、加入者カード保持部がメインボードから空間的に離れるように加入者カード保持部がハウジングに固定され、加入者カード保持部は、熱伝導率の低い方法でメインボードに接続される、他の無線端末装置をさらに提供する。
【００１２】
第１の考えられる実施方法において、加入者カード保持部は、以下のようにハウジングに固定される：
加入者カード保持部がハウジングに接着される；または
第２バッフルがハウジングに配置され、かつ第２バッフルが加入者カード保持部を固定する。
【００１３】
第１の考えられる実施方法によると、加入者カード保持部は、特に以下のように熱伝導率の低い方法でメインボードに接続される：加入者カード保持部がＦＰＣ、ケーブル、突出しピン、または、スナップドームを介してメインボードに接続される。
【００１４】
本発明の実施形態において開示される無線端末装置において、加入者カード保持部は、加入者カード保持部がメインボードから空間的に隔離されるようにハウジングに固定される。これは、加入者カードが加入者カード保持部に挿入され、無線端末装置が通常動作する場合にメインボード上の発熱部品によって生じる熱が加入者カードに伝わることを効果的に防ぐことができ、それにより加入者カードの変形を防止する。
【図面の簡単な説明】
【００１５】
【図１】本発明の実施形態による無線端末装置の概略構造図である。
【図２】本発明の実施形態による他の無線端末装置の概略構造図である。
【図３】本発明の実施形態による他の無線端末装置の概略構造図である。
【図４】本発明の実施形態による他の無線端末装置の概略構造図である。
【図５】本発明の実施形態による他の無線端末装置の概略構造図である。
【図６】本発明の実施形態による他の無線端末装置の概略構造図である。
【図７】本発明の実施形態による他の無線端末装置の概略構造図である。
【図８】本発明の実施形態による他の無線端末装置の概略構造図である。
【図９】本発明の実施形態による他の無線端末装置の概略構造図である。
【図１０】本発明の実施形態による他の無線端末装置の概略構造図である。
【図１１】本発明の実施形態による他の無線端末装置の概略構造図である。
【発明を実施するための形態】
【００１６】
本発明の目的、技術的な解決策、および利点をより分かりやすくするために、添付の図面を参照して本発明の特定の実施形態を以下にさらに記載する。記載された実施形態は、本発明の実施形態の全てではなく単なる一部である。創意工夫無く、本発明の実施形態に基づいて当業者によって得られた全ての他の実施形態は、本発明の保護範囲内にある。
【００１７】
第１に、本発明の実施形態において記載された加入者カードは、ＳＩＭカードおよびＵＳＩＭカードなどの無線通信のための加入者情報を記憶し、かつ無線通信を行うよう構成されたカードを非限定的に含むことを留意すべきである。本発明の実施形態において記載された無線端末装置は、加入者カード保持部が配置され、加入者カードを読み取ることが可能なＵＳＢモデム、携帯電話、タブレット、または無線ルーターなどの端子装置を非限定的に含む。以下の実施形態において、ＵＳＢモデムを説明のために例にとるが、これは本発明における制限を与えるものではない。
【００１８】
図１を参照すると、本発明の実施形態は、ＵＳＢモデムを提供し、該ＵＳＢモデムは、加入者カード保持部１１と、メインボード１４と、第２ボード１３と、ハウジング１２とを含み、メインボード１４と、第２ボード１３と、加入者カード保持部１１とは、ハウジング１２内に配置され、加入者カード保持部１１は、第２ボード１３に配置され、第２ボード１３は、加入者カード保持部１１がメインボード１４から空間的に離れるようにハウジング１２に固定され、第２ボード１３は、熱伝導率の低い方法でメインボード１４に接続される。
【００１９】
上記から明らかなように、本発明の実施形態において開示される無線端末装置において、加入者カード保持部１１は、第２ボード１３に配置され、かつ第２ボード１３は、ハウジング１２に固定される。このように、加入者カード保持部は、メインボード１４から空間的に隔離され、かつ良好な熱絶縁媒体として空気が使用され、それにより熱による加入者カードの変形を効果的に防止し、これは、加入者カード保持部１１がメインボード１４に物理的に接続されている結果として、メインボード１４から生じる大量の熱が加入者カード保持部１１に伝わり、それにより加入者カードが熱により変形する従来技術における状況とは異なる。その一方で、本発明の実施形態において、加入者カード保持部１１は、メインボード１４に配置されず、これは、メインボードの空間を効果的に節約し、かつ無線端末装置の大きさを小さくすることができる。
【００２０】
加入者カード保持部１１は、ＳＩＭカードおよびＵＳＩＭカードなどの加入者カードを挿入するために使用することができ、加入者カード保持部１１は、第２ボード１３に溶接されることができる。メインボード１４および第２ボード１３は、プリント回路基板（Printed circuit board,PCB）とすることができる。メインボード１４は、発熱部品１９を支持することができ、発熱部品１９は、ベースバンドチップ電波周波数チップなど、ＵＳＢモデムが動作する場合に比較的大量の熱を発生する部品を含む。ＵＳＢモデムは、さらにＵＳＢコネクタ１８およびアンテナ１６などの他の部品を含むことができ、ＵＳＢコネクタ１８およびアンテナ１６は、離れてメインボード３３に接続されている。第２ボード１３およびメインボード１４の間にはいくらかの空間があり、第２ボード１３上の加入者カード保持部１１とメインボード１４の間で信号を交換することができるように、第２ボード１３は、メインボード１４に熱伝導率の低い方法で電気的に接続されている。熱伝導率の低い方法での接続は、ＦＰＣ、ケーブル、突出しピン、またはスナップドームを用いた接続方法とすることができる。熱伝導率の低い方法での接続は、第２ボードをメインボード上に直接設置する接続方法、またはボード対ボードコネクタを介した第２ボードおよびメインボードの接続に比べて小さい接触領域および低い熱伝導性を特徴とする。加入者カード保持部１１は、メインボード１４に面する第２ボード１３の側に配置することができる、または他側に配置することができる。
【００２１】
任意に、ネジ１７は、ハウジング１２内に配置される。図１に示すように、ネジ１７は、第２ボード１３を貫通し、かつ第２ボード１３をハウジング１２に固定することができる。
【００２２】
任意に、図２に示すように、第１バッフル２２は、ハウジング１２から内向きに延在することができる。第１バッフル２２は、第２ボード１３をブロックし、かつ第２ボード１３をハウジング１２に固定する。
【００２３】
任意に、第２ボードがハウジング１２に固定されるように、第２ボード１３を両面接着テープまたは接着剤を用いてハウジングに接着することができる。
【００２４】
任意に、図３に示すように、熱かしめ２０またはスナップを用いて第２ボード１３をハウジング１２に固定することができる。
【００２５】
任意に、図４に示すように、加入者カード保持部１１を介して第２ボード１３をハウジングに固定することができ、かつ加入者カード保持部１１は、両面接着テープ２１または接着剤を用いてハウジング１２に接着される。
【００２６】
任意に、図５、図６、図７、および図８に示すように、第２ボードは、柔軟なプリント回路（Flexible Printed Circuit, FPC）１５、ケーブル２３、突出しピン２４、またはスナップドーム２５を介して、メインボード１４に接続されることができ、第２ボード１３上の加入者カード保持部１１とメインボード１４の間の信号が交換される。突出しピン２４またはスナップドーム２５を介したメインボード１４への接続は、製造技術を簡素化し、かつ費用を低減する。ＦＰＣ１５、ケーブル２３、突出しピン２４、またはスナップドーム２５は、メインボードおよび加入者カード保持部に溶接されることができ、またはＦＰＣ１５またはケーブル２３は、ネクタを介してメインボードおよび加入者カード保持部に接続されることができる。
【００２７】
図９を参照すると、本発明の実施形態は、加入者カード保持部３１と、メインボード３３と、ハウジング３２とを含むＵＳＢモデムをさらに提供し、メインボード３３および加入者カード保持部３１は、ハウジング３２内に配置され、加入者カード保持部３１がメインボード３３から空間的に離れるように加入者カード保持部３１は、ハウジング３２に固定され、かつ加入者カード保持部３１は、熱伝導率の低い方法でメインボード３３に接続される。
【００２８】
上記から明らかなように、本発明の実施形態において開示される無線端末装置において、加入者カード保持部３１は、ハウジング３２に固定される。このように、加入者カード保持部３１は、メインボード３３から空間的に隔離され、および良好な熱絶縁媒体として空気が使用され、それにより熱による加入者カードの変形を効果的に防止することができ、これは、加入者カード保持部３１がメインボード３３に物理的に接続される結果としてメインボード３３によって生じる大量の熱が加入者カード保持部３１に伝わり、それにより加入者カードが熱により変形するような従来技術の状況とは異なる。一方で、本発明の実施形態において、加入者カード保持部３１は、メインボード３３に配置されないため、メインボードの空間を効果的に節約することができ、かつ無線端末装置の大きさを小さくすることができる。さらに、本発明の実施形態において、第２ボードなどの他の部分が加入者カード保持部３１を固定する必要がなく、これは、費用および占有空間をさらに減らすことができる。
【００２９】
加入者カード保持部３１は、ＳＩＭカードおよびＵＳＩＭカードなどの加入者カードを挿入するために用いることができる。メインボード３３は、プリント回路基板（Printed circuit board, PCB）とすることができ、かつメインボード３３は、発熱部品３８を支持することができ、発熱部品３８は、ベースバンドチップおよび電波周波数チップなどＵＳＢモデムが動作する場合に、比較的大量の熱を生じる部品を含む。ＵＳＢモデムは、ＵＳＢコネクタ３７およびアンテナ３６などの他の部品をさらに含むことができ、ＵＳＢコネクタ３７およびアンテナ３６は、離れてメインボード３３に接続されている。加入者カード保持部３１およびメインボード３３の間にはいくらかの空間があり、加入者カード保持部３１およびメインボード３３間で信号を交換できるように、加入者カード保持部３１は、熱伝導率の低い方法でメインボード３３に電気的に接続されている。熱伝導率の低い方法での接続は、ＦＰＣ、ケーブル、突出しピン、またはスナップドームを用いた接続方法とすることができる。熱伝導率の低い方法での接続は、第２ボードをメインボード上に直接設置する接続方法、またはボード対ボードコネクタを介したメインボードへの第２ボードの接続と比較して、小さい接触領域および低い熱伝導性を特徴とする。
【００３０】
任意に、加入者カード保持部３１およびメインボード３３間で信号を交換できるように、ＦＰＣ３５またはケーブルを介して加入者カード保持部３１をメインボード３３に接続することができる。ＦＰＣ３５またはケーブルは、メインボードおよび加入者カード保持部に溶接されることができる、またはＦＰＣ３５またはケーブルは、コネクタを介してメインボードおよび加入者カード保持部に接続されることができる。加入者カード保持部３１はまた、スナップドームまたは突出しピンを介してメインボードに接続されることができるが、ここには再度詳細に説明しない。
【００３１】
任意に、図１１に示すように、第２バッフル３９は、ハウジング３２から内向きに延在することができる。第２バッフル３９は、加入者カード保持部３１をブロックし、かつ加入者カード保持部３１をハウジング３２に固定する。
【００３２】
任意に、図１０に示すように、ハウジング３２に固定されるように、加入者カード保持部３１を両面接着テープ３４または接着剤を用いてハウジング３２に接着することができる。
【００３３】
前述の実施形態において、実施形態の説明は、それぞれ焦点を有する。ある実施形態において詳細に説明されていない部分については、他の実施形態における関連する説明を参照されたい。
【００３４】
添付図面は、例示的な実施形態の単なる概略図であり、かつ添付図面の部品は、本発明の実施において必ずしも必要ではないことを当業者は理解すべきである。
【００３５】
前述の実施形態は、本発明を制限するものではなく、本発明の技術的な解決策を説明することを単に意図するものである。前述の実施形態を参照して本発明が詳細に説明されているが、上記の実施形態において説明された技術的な解決策をなおも改良できる、またはいくつかの技術的な特徴を同等に置換することができるが、このような改良または置換により、対応する技術的な解決策が、本発明の実施形態の技術的な解決策の範囲から逸脱しない条件であることを当業者は理解すべきである。
【符号の説明】
【００３６】
１１，３１  加入者カード保持部
１２，３２  ハウジング
１３  第２ボード
１４，３３  メインボード
１５  プリント回路
１６，３６  アンテナ
１７  ネジ
１８，３７  コネクタ
１９，３８  発熱部品
２１，３４  両面接着テープ
２２  第１バッフル
２３  ケーブル
２４  ピン
２５  スナップドーム
３９  第２バッフル
【図１】
2014529388.tif 000003
【図２】
2014529388.tif 000004
【図３】
2014529388.tif 000005
【図４】
2014529388.tif 000006
【図５】
2014529388.tif 000007
【図６】
2014529388.tif 000008
【図７】
2014529388.tif 000009
【図８】
2014529388.tif 000010
【図９】
2014529388.tif 000011
【図１０】
2014529388.tif 000012
【図１１】
2014529388.tif 000013
【国際調査報告】
2014529388.tif 000014
2014529388.tif 000015
2014529388.tif 000016
2014529388.tif 000017
2014529388.tif 000018
2014529388.tif 000019